(57)【要約】【課題】  光ディスク装置内の温度上昇を従来よりも抑えることが可能な光ディスク装置の冷却装置およびこのような冷却装置を備えた光ディスク装置を提供する。【解決手段】  制御部１６は温度変化率が第１の変化率以上であれば冷却ファン１０に第１の指示である信号ＳＯＮを送る。冷却ファン１０は信号ＳＯＮに応じて動作を開始する。制御部１６は信号ＳＯＮを出力した後も温度センサ１４から測定結果を取得する。制御部１６は光ディスク装置１内部の温度が冷却終了温度以下になれば、冷却ファン１０に第２の指示である信号ＳＯＦＦを送る。冷却ファン１０は信号ＳＯＦＦを受けて停止する。装置内部の温度が高温になる前に冷却が開始されるので、光ディスク装置内部が高温になるのを防ぐことができる。【選択図】        図２
2006252608.tif 000002
【特許請求の範囲】
【請求項１】
冷却装置を備える光ディスク装置であって、
前記光ディスク装置は、挿入される光ディスクに対し、再生および記録の少なくとも一方を行なう光ピックアップユニットをさらに備え、
前記冷却装置は、
前記光ピックアップユニットから所定の距離にある場所の温度を測定する温度センサと、
前記温度センサから測定結果を取得する制御部とを含み、
前記制御部は、前記測定結果から前記温度の時間変化率を算出し、前記時間変化率が第１の変化率以上である場合か、前記温度が第１の温度以上である場合かのいずれかの場合には第１の指示を出力し、
前記制御部は、前記第１の指示を出力した後に、前記温度センサから所定の時間ごとに前記測定結果を取得して前記時間変化率を算出し、前記時間変化率と前記第１の変化率よりも小さい第２の変化率とを比較し、
前記制御部は、前記時間変化率が前記第２の変化率以下である場合には、前記温度センサから前記所定の時間ごとに前記測定結果を再度取得して、前記温度が、前記第１の温度よりも低い温度である第２の温度以下になったときに第２の指示を出力し、
前記冷却装置は、前記第１の指示に応じて動作し、前記第２の指示に応じて停止する冷却ファンをさらに含む、光ディスク装置。
【請求項２】
光ディスク装置に備えられる冷却装置であって、
前記光ディスク装置内部における測定場所の温度を測定する温度センサと、
前記温度センサから測定結果を取得して前記測定場所の温度の時間変化率を算出し、前記時間変化率が第１の変化率以上である場合に第１の指示を出力する制御部と、
前記第１の指示に応じて冷却能力を増加させる冷却手段とを備える、光ディスク装置の冷却装置。
【請求項３】
前記制御部は、前記時間変化率が前記第１の変化率よりも小さい場合には、前記測定結果に基づいて、前記測定場所の温度が第１の温度以上であるときに前記第１の指示を出力する、請求項２に記載の光ディスク装置の冷却装置。
【請求項４】
前記制御部は、前記第１の指示を出力した後に、前記温度センサから所定の時間ごとに前記測定結果を取得して、前記測定場所の温度が、前記第１の温度よりも低い第２の温度以下であるときに第２の指示を出力し、
前記冷却手段は、前記第２の指示に応じて前記冷却能力を減少させる、請求項３に記載の光ディスク装置の冷却装置。
【請求項５】
前記制御部は、前記第１の指示を出力した後に、前記温度センサから所定の時間ごとに前記測定結果を取得して前記時間変化率を算出し、前記時間変化率と前記第１の変化率よりも小さい第２の変化率とを比較し、
前記制御部は、前記時間変化率が前記第２の変化率以下である場合には、前記温度センサから前記所定の時間ごとに前記測定結果を再度取得して、前記測定場所の温度が前記第１の温度よりも低い第２の温度以下になったときに第２の指示を出力し、
前記冷却手段は、前記第２の指示に応じて前記冷却能力を減少させる、請求項３に記載の光ディスク装置の冷却装置。
【請求項６】
前記冷却手段は、前記第１の指示に応じて動作し、前記第２の指示に応じて停止する冷却ファンである、請求項４または請求項５に記載の光ディスク装置の冷却装置。
【請求項７】
前記光ディスク装置は、挿入される光ディスクに対し、再生および記録の少なくとも一方を行なう光ピックアップユニットを備え、
前記測定場所は、前記光ピックアップユニットから所定の距離にある、請求項６に記載の光ディスク装置の冷却装置。
【請求項８】
請求項２から７のいずれか１項に記載の冷却装置を備える、光ディスク装置。
【発明の詳細な説明】
【技術分野】
【０００１】
本発明は光ディスク装置に搭載される冷却装置および冷却装置を搭載する光ディスク装置に関する。
【背景技術】
【０００２】
ＣＤ（Compact Disc）やＤＶＤ(Digital Versatile Disc)等の光ディスクに情報を書き込む光ディスク記録装置や、光ディスクから情報を再生する光ディスク再生装置などの光ディスク装置には、一般的に光ディスク装置内部を冷却するための冷却装置が搭載されている。光ディスク装置にはディスクに情報を読み書きするための半導体レーザを備えたＯＰＵ（光ピックアップユニット）や多くの半導体集積回路などが搭載される。ＯＰＵの動作や半導体集積回路の動作は温度による影響を受けやすいので、これらの回路の温度上昇を抑えるために冷却が行なわれる。
【０００３】
冷却装置には一般的に冷却ファンが用いられる。冷却ファンが動作すると光ディスク装置内部に空気の流れが生じ、ＯＰＵや半導体集積回路に生じた熱が奪われる。
【０００４】
光ディスク装置には、冷却装置として、冷却ファンのほかに温度センサや冷却ファンの動作を制御するための制御回路が含まれる。制御回路は温度センサの測定結果に基づいて冷却ファンを動作させたり、冷却ファンを停止させたりする。
【０００５】
図７は、従来の冷却方法による光ディスク装置内部の温度変化を示す図である。図７を参照して、グラフの横軸は時刻を示し、縦軸は光ディスク装置の温度を示す。曲線Ａ１０は光ディスク装置の温度変化を示す曲線である。
【０００６】
光ディスクから情報を読出したり書き込んだりする場合、モータは高速でディスクを回転させる。よって、モータからの発熱が大きくなる。また、光ディスクに情報を書き込む場合には読出し時よりもレーザの出力が大きくなる。さらに、光ディスクに情報を書き込んだり情報を読出したりするために半導体集積回路が動作する。よって、光ディスクから情報を読み出したり、光ディスクに情報を書き込んだりすると光ディスク装置の温度が上昇する。
【０００７】
時刻ｔ１において光ディスク装置の温度は温度Ｔ１に達する。時刻ｔ１において冷却が開始される。但し、光ディスク装置の温度はすぐには下がらず、時刻ｔ１以後も緩やかに上昇を続ける。光ディスク装置の温度は温度Ｔ２まで上昇し、その後下降する。時刻ｔ２において光ディスク装置の温度が再び温度Ｔ１になると、冷却は終了する。なお、光ディスク装置が十分に冷却されてから冷却を停止するために温度Ｔ２は温度Ｔ１よりも低い場合がある。
【０００８】
従来、冷却装置に関する多くの技術が提案されている。たとえば、特開平１０−６４５９８号公報（特許文献１）では、バッテリに冷却風を送風する冷却ファンを備えたバッテリ冷却装置において、バッテリ温度を検出する温度検出手段と、バッテリ単位時間当りの発熱量を検出する発熱量検出手段と、バッテリ温度およびバッテリ単位時間当りの発熱量に基づいてバッテリ温度に応じて要求される送風状態をバッテリ単位時間当り発熱量に応じて調整した調整送風状態が得られるように、冷却ファンを制御する制御手段とを含むことを特徴とするバッテリ冷却装置が開示される。このバッテリ冷却装置は冷却ファンによる電力消費量を低減することを可能にする。
【０００９】
また、特開平５−１４５２５９号公報（特許文献２）では、温度センサと、設定温度を発生させる回路と、温度センサからの出力と設定温度を比較する比較器と、比較器からの出力変化に応じた回転をするファンとを備えることを特徴とする冷却装置が開示される。この冷却装置は消費電力の低減および騒音の低減を行なうことを可能にする。
【００１０】
また、特開２００３−２９８５０号公報（特許文献３）では、装置内部に第１、第２の温度センサと第１、第２の温度センサの検出信号を受けてモータドライバを制御する制御手段を備えることによって冷却ファンの駆動および停止を行なう冷却装置が開示される。この冷却装置では検出温度が設定温度より低下してから設定時間だけファンを継続駆動することによって発熱部品等を確実に冷却することができる。また、この冷却装置ではファンを停止させてから所定時間が経過するまでに検出温度が第２の設定温度以上に上昇すればファンを再駆動することによってファンの駆動および停止の繰返し頻度を従来よりも低減し、電力消費および騒音を低減する。
【特許文献１】特開平１０−６４５９８号公報
【特許文献２】特開平５−１４５２５９号公報
【特許文献３】特開２００３−２９８５０号公報
【発明の開示】
【発明が解決しようとする課題】
【００１１】
図７に示されるように、従来の冷却装置は光ディスク装置の温度のみによって、冷却ファンを駆動するか、あるいは冷却ファンを停止させるかを判断していた。よって、従来の冷却装置では、光ディスク装置の温度が冷却開始温度に達してから冷却ファンを動かすので、光ディスク装置の温度がすぐに下げらなかった。
【００１２】
光ディスク装置の温度が高温になると、たとえば、半導体集積回路の動作が不安定になる、あるいはＯＰＵに備えられる半導体レーザの出力が低下するといった問題が生じる。半導体レーザの出力が低下して光ディスクに情報を正しく記録できないと、光ディスクに記録された情報には多くの誤りが含まれるのでディスクの再生時に再生エラーが生じやすくなる。よって、温度のみによって冷却を行なうか、あるいは冷却を停止するかを判断する従来の冷却装置では、特に、光ディスク装置の温度が上昇するときの温度変化が大きくなっていた。
【００１３】
本発明は上述の課題を解決するものであって、その目的は、光ディスク装置内の温度上昇を従来よりも抑えることが可能な光ディスク装置の冷却装置およびこのような冷却装置を備えた光ディスク装置を提供することである。
【課題を解決するための手段】
【００１４】
本発明は要約すれば、冷却装置を備える光ディスク装置であって、光ディスク装置は、挿入される光ディスクに対し、再生および記録の少なくとも一方を行なう光ピックアップユニットをさらに備える。冷却装置は、光ピックアップユニットから所定の距離にある場所の温度を測定する温度センサと、温度センサから測定結果を取得する制御部とを含む。
【００１５】
制御部は、測定結果から温度の時間変化率を算出し、時間変化率が第１の変化率以上である場合か、温度が第１の温度以上である場合かのいずれかの場合には第１の指示を出力する。
【００１６】
また、制御部は、第１の指示を出力した後に、温度センサから所定の時間ごとに測定結果を取得して時間変化率を算出し、時間変化率と第１の変化率よりも小さい第２の変化率とを比較する。
【００１７】
また、制御部は、時間変化率が第２の変化率以下である場合には、温度センサから所定の時間ごとに測定結果を再度取得して、温度が、第１の温度よりも低い温度である第２の温度以下になったときに第２の指示を出力する。
【００１８】
冷却装置は、第１の指示に応じて動作し、第２の指示に応じて停止する冷却ファンをさらに含む。
【００１９】
本発明の他の局面に従うと、光ディスク装置に備えられる冷却装置であって、光ディスク装置内部における測定場所の温度を測定する温度センサと、温度センサから測定結果を取得して測定場所の温度の時間変化率を算出し、時間変化率が第１の変化率以上である場合に第１の指示を出力する制御部と、第１の指示に応じて冷却能力を増加させる冷却手段とを備える。
【００２０】
好ましくは、制御部は、時間変化率が第１の変化率よりも小さい場合には、測定結果に基づいて、測定場所の温度が第１の温度以上であるときに第１の指示を出力する。
【００２１】
より好ましくは、制御部は、第１の指示を出力した後に、温度センサから所定の時間ごとに測定結果を取得して、測定場所の温度が、第１の温度よりも低い第２の温度以下であるときに第２の指示を出力し、冷却手段は、第２の指示に応じて冷却能力を減少させる。
【００２２】
より好ましくは、制御部は、第１の指示を出力した後に、温度センサから所定の時間ごとに測定結果を取得して時間変化率を算出し、時間変化率と第１の変化率よりも小さい第２の変化率とを比較する。制御部は、時間変化率が第２の変化率以下である場合には、温度センサから所定の時間ごとに測定結果を再度取得して、測定場所の温度が第１の温度よりも低い第２の温度以下になったときに第２の指示を出力する。冷却手段は、第２の指示に応じて冷却能力を減少させる。
【００２３】
さらに好ましくは、冷却手段は、第１の指示に応じて動作し、第２の指示に応じて停止する冷却ファンである。
【００２４】
さらに好ましくは、光ディスク装置は、挿入される光ディスクに対し、再生および記録の少なくとも一方を行なう光ピックアップユニットを備え、測定場所は、光ピックアップユニットから所定の距離にある。
【００２５】
さらに好ましくは、光ディスク装置は、上述のいずれかの冷却装置を備える光ディスク装置である。
【発明の効果】
【００２６】
本発明の光ディスク装置の冷却装置および本発明の光ディスク装置によれば、光ディスク装置内の温度の変化率に基づいて冷却ファンを動作させるか否かを判定するので、光ディスク装置内部の温度が高くなりすぎる前に冷却を開始することができる。よって、従来よりも光ディスク装置内部の温度上昇を抑えることができる。
【発明を実施するための最良の形態】
【００２７】
以下において、本発明の実施の形態について図面を参照して詳しく説明する。なお、図中同一符号は同一または相当部分を示す。
【００２８】
［実施の形態１］
図１は、実施の形態１の光ディスク装置を示す概略ブロック図である。図１を参照して、光ディスク装置１は、たとえば再生専用のＤＶＤプレーヤやＤＶＤレコーダである。光ディスク装置１は、ケース２を備える。ケース２には吸気口２Ａ，および排気口２Ｂが設けられる。吸気口２Ａから排気口２Ｂに向けて空気が流れることにより光ディスク装置１の内部が冷却される。
【００２９】
光ディスク装置１は、さらに、ローダ４、制御基板６、ＡＶ入出力／電源基板８および冷却ファン１０を備える。
【００３０】
ローダ４はディスクＤ１を搬送するための装置である。ローダ４は、挿入される光ディスク（ディスクＤ１）に対して情報の再生や情報の記録の少なくとも一方を行なうための光ピックアップユニット（ＯＰＵ：Optical Pickup Unit）１２を含む。
【００３１】
ＯＰＵ１２は温度センサ１４を含む。温度センサ１４は所定の場所の温度を測定する。具体的には温度センサ１４はＯＰＵ１２の周囲、つまりＯＰＵ１２から所定の距離にある場所の空気の温度を測定する。温度センサ１４は、たとえばサーミスタである。
【００３２】
なお、温度センサ１４はＯＰＵ１２の周囲に設けられることが好ましい。ＯＰＵには半導体レーザ（図示せず）や半導体集積回路（図示せず）が密集しているので、動作時に温度が上昇しやすいためであるとともに半導体レーザや半導体集積回路は温度の影響を受けやすいためである。ただし、温度センサが取り付けられる位置はＯＰＵ１２の周囲に限定されず、たとえば温度センサ１４は制御基板６に設けられてもよい。制御基板６には温度の影響を受けやすい多くの半導体集積回路(図示せず）が搭載されている。温度センサ１４が制御基板６に設けられることにより、制御基板の温度が高くなりすぎる前に冷却を開始することができるので、光ディスク装置１の動作を安定させることができる。
【００３３】
制御基板６は光ディスク装置１全体の動作を制御する。制御基板６は制御部１６を含む。制御部１６は一例を示すとＣＰＵ（Central Processing Unit）である。制御部１６は所定の時間ごとに温度センサ１４から測定結果ＳＮＳを取得して、光ディスク装置１の内部の温度の時間変化率（以下、温度変化率とも称する）を求める。
【００３４】
制御部１６は温度変化率が第１の変化率以上であれば冷却ファン１０に第１の指示である信号ＳＯＮを送る。冷却ファン１０は信号ＳＯＮに応じて動作を開始する。制御部１６は信号ＳＯＮを出力した後も温度センサ１４から測定結果を取得する。制御部１６は光ディスク装置１内部の温度が冷却終了温度以下になれば、冷却ファン１０に第２の指示である信号ＳＯＦＦを送る。冷却ファン１０は信号ＳＯＦＦを受けて停止する。装置内部の温度が高温になる前に冷却が開始されるので、光ディスク装置内部が高温になるのを防ぐことができる。
【００３５】
なお、光ディスク装置１の内部の温度が緩やかに上昇する場合、温度変化率は、制御部１６が信号ＳＯＮを出力するための条件となる変化率よりも小さくなる。この場合、制御部１６は光ディスク装置１内部の温度が、冷却開始温度以上であれば信号ＳＯＮを出力する。温度上昇時の温度変化率が小さいので、冷却ファンが動作すると光ディスク装置１の内部の温度は、温度変化率が大きい場合に比較して短時間で低下し始める。
【００３６】
ここで、冷却開始温度とは制御部１６が信号ＳＯＮ（第１の指示）を出力するための条件である第１の温度である。また、冷却終了温度とは制御部１６が信号ＳＯＦＦ（第２の指示）を出力するための条件である第２の温度である。
【００３７】
以上のように、制御部１６は光ディスク装置１の温度上昇時における温度変化率が第１の変化率以上か、光ディスク装置１の温度が冷却開始温度であるかのいずれかであれば冷却ファン１０を動作させる。
【００３８】
ＡＶ入出力／電源基板８は、図示されないテレビ受像機やオーディオ機器などのＡＶ機器に対し、情報の入出力を行なう。ＡＶ入出力／電源基板８は、図示されないＡＶ機器からディスクＤ１に記録するための情報を受けたり、ディスクＤ１から再生された情報を図示されないＡＶ機器に出力したりする。また、ＡＶ入出力／電源基板８は、光ディスク装置１の動作電源電圧を供給する電源部（図示せず）を含む。
【００３９】
冷却ファン１０は、本発明の冷却手段である。本発明の冷却手段は第１の指示を受けて冷却能力を増加させ、第２の指示を受けて冷却能力を減少させる。具体的には冷却ファン１０は、信号ＳＯＮを受けて動作すると吸気口２Ａから排気口２Ｂに向かう空気の流れを生じさせ、信号ＳＯＦＦを受けて停止する。ただし、冷却ファン１０は電源電圧が供給されている間は常時動作し、信号ＳＯＮを受けた場合にファンの回転数を上げ、信号ＳＯＦＦを受けた場合にファンの回転数を下げるという動作を行なってもよい。
【００４０】
また、本発明の冷却手段は冷却ファンに限定されるものではない。光ディスク装置１の内部を冷却し、第１の指示に応じて冷却能力を増加させ、第２の指示に応じて冷却能力を減少させるのであれば、本発明の冷却手段はたとえばペルチェ素子や水冷式のクーラー等でもよい。
【００４１】
なお、図１において本発明に係る冷却装置は冷却ファン１０，温度センサ１４および制御部１６によって構成される。
【００４２】
図２は、図１の光ディスク装置１の温度変化の例を示す模式図である。図２を参照して、曲線Ａ１は光ディスク装置１の温度の時間変化を示す曲線である。縦軸に示される温度Ｔ１，Ｔ２はそれぞれ第１の温度（冷却開始温度）および第２の温度（冷却終了温度）を示す。
【００４３】
時刻ｔ１から時刻ｔ１＋Δｔまでの間の温度変化率（＝ΔＴＡ／Δｔ）は第１の変化率よりも小さい。一方、時刻ｔ２から時刻ｔ２＋Δｔまでの間の温度変化率（＝ΔＴＢ／ΔＴ）は、第１の変化率よりも大きい。よって、時刻ｔ２＋Δｔにおいて冷却ファン１０は動作を開始する。なお、上述のように、本発明の冷却装置は、温度変化率が第１の変化率以上であれば冷却を開始する。よって、冷却開始時の時刻ｔ２＋Δｔにおける温度は温度Ｔ１よりも低い。
【００４４】
時刻ｔ２＋Δｔ以後、光ディスク装置１の温度は一旦上昇して低下する。時刻ｔ３において光ディスク装置１内部の温度は温度Ｔ２に達する。時刻ｔ３以後、冷却ファン１０は停止する。つまり、時刻ｔ２＋Δｔ〜時刻ｔ３の期間が冷却ファン１０の動作期間であり、時刻ｔ１以前の期間および時刻ｔ３以後の期間が冷却ファン１０の停止期間である。
【００４５】
なお、温度Ｔ１，Ｔ２の一例として、温度Ｔ１は６０℃、温度Ｔ２は４５℃である。ただし、温度Ｔ１と温度Ｔ２とは同じ温度でもよい。また、第１の変化率は、たとえば１０℃／１分である。
【００４６】
図３は、図１の光ディスク装置１の別の温度変化の例を示す模式図である。図３を参照して、曲線Ａ２は光ディスク装置１の温度の時間変化を示す曲線である。曲線Ａ２において、温度上昇時の温度変化率は第１の温度変化率よりも低い。この場合、時刻ｔ１において光ディスク装置１内部の温度が冷却開始温度である温度Ｔ１に達すると、制御部１６は冷却ファン１０に信号ＳＯＮを送り、冷却ファン１０は動作を開始する。時刻ｔ１以後、光ディスク装置１が冷却されて、時刻ｔ２において装置内部の温度が冷却終了温度である温度Ｔ２に達すると冷却ファン１０は動作を停止する。
【００４７】
図３に示す曲線Ａ２の場合、冷却ファン１０は時刻ｔ１〜時刻ｔ２の間で動作し、時刻ｔ１以前の期間および時刻ｔ２以後の期間は冷却ファン１０は停止している。温度上昇時の温度変化率が第１の温度変化率よりも低いため、冷却ファンが動作してから光ディスク装置１内部の温度が低下し始めるまでの時間は図２の曲線Ａ１よりも短くなる。つまり図２における冷却ファン１０の動作期間（時刻ｔ２＋Δｔ〜時刻ｔ３の期間）と比較して、図３における冷却ファン１０の動作期間（時刻ｔ１〜時刻ｔ２の期間）は短くなる。
【００４８】
図４は、実施の形態１の冷却装置による処理を示すフローチャートである。図４を参照して、処理が開始されると、ステップＳ１において制御部１６は温度センサ１４から所定の時間毎に測定結果ＳＮＳを取得する。次にステップＳ２において、制御部１６は測定結果ＳＮＳに基づいて温度変化率を算出する。
【００４９】
ステップＳ３において、制御部１６は温度変化率が第１の変化率以上であるか否かを判定する。時間変化率が第１の変化率以上である場合（ステップＳ３においてＹＥＳの場合）、処理はステップＳ４に進む。一方、温度変化率が第１の変化率未満である場合（ステップＳ３においてＮＯの場合）、処理はステップＳ４Ａに進む。
【００５０】
ステップＳ４Ａの処理について説明する。ステップＳ４Ａにおいて制御部１６は内部温度が第１の温度である冷却開始温度（図２，図３における温度Ｔ１）以上であるか否かを判定する。ステップＳ４Ａにおいて内部温度が冷却開始温度以上である場合（ステップＳ４ＡにおいてＹＥＳの場合）、処理はステップＳ４に進む。一方、ステップＳ４Ａにおいて内部温度が冷却開始温度未満である場合（ステップＳ４ＡにおいてＮＯの場合）、処理は再びステップＳ１に戻る。
【００５１】
ステップＳ４において制御部１６は冷却ファン１０に第１の指示である信号ＳＯＮを送り冷却ファン１０を動作させる。ステップＳ５において制御部１６は所定の時間毎に温度センサ１４から測定結果ＳＮＳを取得する。ステップＳ６において制御部１６は測定結果ＳＮＳに基づき、光ディスク装置１の内部温度が第２の温度である冷却終了温度（図２，図３における温度Ｔ２）以下であるか否かを判定する。
【００５２】
ステップＳ６において内部温度が冷却終了温度以下である場合（ステップＳ６においてＹＥＳの場合）、処理はステップＳ７に進む。一方、ステップＳ６において内部温度が冷却終了温度より高い場合（ステップＳ６においてＮＯの場合）、処理は再びステップＳ５に戻る。
【００５３】
ステップＳ７において制御部１６は冷却ファン１０に第２の指示である信号ＳＯＦＦを送り冷却ファン１０を停止させる。ステップＳ７の処理が終了すると、処理は再びステップＳ１に戻る。
【００５４】
以上のように実施の形態１によれば、光ディスク装置内部の温度の温度変化率が所定値以上であれば冷却ファンが動作することにより、装置内部の温度が高くなりすぎる前に冷却を開始することができるので、装置内部の温度の上昇を抑えることが可能になる。
【００５５】
［実施の形態２］
実施の形態２では、冷却ファンの動作を開始させた後も継続して光ディスク装置の温度の変化率が算出される点で実施の形態１と相違する。
【００５６】
なお、実施の形態２の光ディスク装置の構成は図１の光ディスク装置１の構成と同様であるので、実施の形態２の構成に関する以後の説明は繰返さない。
【００５７】
実施の形態１では、冷却ファンを動作させた後における装置内部の温度が冷却終了温度以下であれば冷却ファンは停止する。しかし、光ディスク装置が始動したすぐ後に光ディスクに情報の書き込みが行なわれる場合、半導体集積回路の処理やＯＰＵの処理によって装置内部の温度は急に上昇する。よって、冷却ファンを動作させた後の温度が冷却終了温度以下であっても、冷却ファンを停止すれば光ディスク装置の温度が急に上昇する可能性がある。このような場合に、冷却ファンを再起動させても光ディスク装置の冷却が間に合わず、温度が高くなりすぎる可能性がある。
【００５８】
一方、冷却ファンを動作させた後に光ディスク装置の温度変化率が小さくなった場合、そのときの温度が冷却終了温度以下であれば、冷却ファンが停止しても光ディスク装置の温度は冷却終了温度から下がり続けるか、冷却終了温度からわずかに上昇するかのいずれかである。このような状態で冷却ファンが動作し続けると、冷却ファンによる冷却効果が発揮されず、電力が無駄に消費される。
【００５９】
実施の形態２では、冷却ファンの動作を開始させた後も制御部は光ディスク装置の温度の変化率を算出し、その温度変化率を第１の温度変化率よりも低い第２の温度変化率と比較する。実施の形態２では、光ディスク装置の温度の変化率が第２の温度変化率以下であれば、制御部は光ディスク装置の温度が冷却終了温度以下であるか否かを判定し、光ディスク装置の温度が冷却終了温度以下であれば冷却ファンを停止する。
【００６０】
よって、実施の形態２では、光ディスク装置の温度が冷却終了温度以下であっても、第２の温度変化率以上の変化率で光ディスク装置の温度が上昇し続ける場合には、冷却ファンが動作し続けるので、光ディスク装置の温度が急に上昇することを抑えることができる。また、光ディスク装置の温度の変化率が第２の温度変化率よりも低く、かつ、そのときの温度が冷却停止以下の温度であれば冷却ファンが停止するので、冷却ファンの無駄な動作を防ぐことができ、消費電力が低減される。
【００６１】
図５は、実施の形態２の光ディスク装置の温度変化の例を示す模式図である。図５を参照して、曲線Ａ３１は、実施の形態１の光ディスク装置の温度変化を示し、曲線Ａ３２は実施の形態２の光ディスク装置の温度変化を示す。また、パターンＡ，パターンＢは実施の形態１，２のそれぞれの場合における冷却ファンの動作パターンを示す。
【００６２】
時刻ｔ１から時刻ｔ２までの期間において装置内部の温度は上昇する。時刻ｔ１から時刻ｔ２までの温度変化率が所定の値以上であるので実施の形態１，２では共に時刻ｔ２において冷却ファンが動作する。
【００６３】
次に時刻ｔ３においてＣＰＵにより装置内部の温度が測定される。時刻ｔ３における装置内部の温度は温度Ｔ２以下である。すなわち、装置内部の温度は第２の温度である冷却終了温度以下である。
【００６４】
曲線Ａ３１およびパターンＡに示されるように、実施の形態１では装置内部の温度が温度Ｔ２以下であれば冷却ファンは停止するので、時刻ｔ３において冷却ファンは停止する。しかし、曲線Ａ３１に示すように、時刻ｔ３以後、装置内部の温度は上昇し続け、時刻ｔ４では装置の温度は温度Ｔ２を上回る。
【００６５】
しかし、実施の形態１の場合、冷却ファンが動作するための条件は装置内部の温度が第１の温度である温度Ｔ１になるか、上昇時の温度変化率が第１の変化率以上になるかのいずれかである。上記のいずれかの条件を満たしたときに冷却ファンが動作した場合、光ディスク装置の温度が温度Ｔ２まで下がる時間が長くなる可能性がある。
【００６６】
これに対し、曲線Ａ３２およびパターンＢに示されるように、実施の形態２では時刻ｔ３における光ディスク装置の温度が冷却終了温度である温度Ｔ２以下であっても時刻ｔ２〜時刻ｔ３における温度変化率が第２の変化率以上であるので冷却ファンは動作し続ける。時刻ｔ３〜時刻ｔ４における温度変化率（＝ΔＴＣ／Δｔ）は第２の温度変化率以下であり、時刻ｔ４における光ディスク装置の温度は温度Ｔ２よりも低い。よって、実施の形態２では時刻ｔ４において冷却ファンが停止する。
【００６７】
図６は、実施の形態２の冷却装置による処理を示すフローチャートである。図４，図６を参照して、図６のフローチャートにおいてステップＳ１〜Ｓ４，Ｓ４Ａ，Ｓ６、Ｓ７の各ステップにおける処理は、図４のフローチャートの対応するステップと同様である。図６のフローチャートは、ステップＳ４とステップＳ７との間にステップＳ４１〜ステップＳ４３およびステップＳ６Ａが含まれる点で図４のフローチャートと異なる。以下、図６のフローチャートについて詳細を説明する。
【００６８】
処理が開始されるとステップＳ１において制御部１６は温度センサ１４から所定の時間毎に測定結果ＳＮＳを取得する。次にステップＳ２において、制御部１６は測定結果ＳＮＳに基づいて温度変化率を算出する。
【００６９】
ステップＳ３において、制御部１６は温度変化率が第１の変化率以上であるか否かを判定する。温度変化率が第１の変化率以上である場合（ステップＳ３においてＹＥＳの場合）、処理はステップＳ４に進む。一方、温度変化率が第１の変化率未満である場合（ステップＳ３においてＮＯの場合）、処理はステップＳ４Ａに進む。実施の形態１と同様に、第１の変化率は、たとえば１０℃／１分に設定される。
【００７０】
ステップＳ４Ａにおいて制御部１６は内部温度が第１の温度である冷却開始温度（図２，図３における温度Ｔ１）以上であるか否かを判定する。ステップＳ４Ａにおいて内部温度が冷却開始温度以上である場合（ステップＳ４ＡにおいてＹＥＳの場合）、処理はステップＳ４に進む。一方、ステップＳ４Ａにおいて内部温度が冷却開始温度未満である場合（ステップＳ４ＡにおいてＮＯの場合）、処理は再びステップＳ１に戻る。
【００７１】
ステップＳ４において制御部１６は冷却ファン１０に第１の指示である信号ＳＯＮを送り冷却ファン１０を動作させる。次にステップＳ４１において、制御部１６は温度センサ１４から測定結果ＳＮＳを取得する。
【００７２】
ステップＳ４２において制御部１６は温度変化率を算出する。次にステップＳ４３において、制御部１６は温度変化率と第２の変化率とを比較し、温度変化率が第２の変化率以下であるか否かを判定する。ステップＳ４３において温度変化率が第２の変化率以下である場合（ステップＳ４３においてＹＥＳの場合）、処理は後述するステップＳ６に進む。一方、ステップＳ４３において温度変化率が第２の変化率よりも小さい場合（ステップＳ４３においてＮＯの場合）、処理は再びステップＳ４１に戻る。なお、第２の変化率は、たとえば２〜３℃／１分に設定される。
【００７３】
ステップＳ６において、制御部１６は光ディスク装置１の内部温度が第２の温度である冷却終了温度（図２，図３，図５における温度Ｔ２）以下であるか否かを判定する。ステップＳ６において内部温度が冷却終了温度以下である場合（ステップＳ６においてＹＥＳの場合）、ステップＳ７において制御部１６は冷却ファン１０に第２の指示である信号ＳＯＦＦを送り、冷却ファン１０を停止させる。一方、ステップＳ６において内部温度が冷却終了温度よりも高い場合（ステップＳ６においてＮＯの場合）、処理はステップＳ６Ａに進む。
【００７４】
ステップＳ６Ａにおいて制御部１６は温度センサ１４から測定結果ＳＮＳを取得する。ステップＳ６Ａにおいて制御部１６が測定結果ＳＮＳを取得すると処理は再びステップＳ６に戻る。
【００７５】
以上のように実施の形態２によれば、冷却ファンの動作を開始した後の温度変化率が所定の値以下であり、かつ光ディスク装置内部の温度が冷却終了温度以下である場合に冷却ファンを停止させるので、装置内部の温度上昇を抑えることができるとともに、装置内部の温度が低いにも関わらず冷却ファンを動作させ続けることによる無駄な電力消費を防ぐことができる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】実施の形態１の光ディスク装置を示す概略ブロック図である。
【図２】図１の光ディスク装置１の温度変化の例を示す模式図である。
【図３】図１の光ディスク装置１の別の温度変化の例を示す模式図である。
【図４】実施の形態１の冷却装置による処理を示すフローチャートである。
【図５】実施の形態２の光ディスク装置の温度変化の例を示す模式図である。
【図６】実施の形態２の冷却装置による処理を示すフローチャートである。
【図７】従来の冷却方法による光ディスク装置内部の温度変化を示す図である。
【符号の説明】
【００７８】
１  光ディスク装置、２  ケース、２Ａ  吸気口、２Ｂ  排気口、４  ローダ、６  制御基板、８  ＡＶ入出力／電源基板、１０  冷却ファン、１２  ＯＰＵ、１４  温度センサ、１６  制御部、Ａ１，Ａ２，Ａ１０，Ａ３１，Ａ３２  曲線、Ｄ１  ディスク、Ｓ１〜Ｓ７，Ｓ４１〜Ｓ４３，Ｓ４Ａ  ステップ。
【図１】
2006252608.tif 000003
【図２】
2006252608.tif 000004
【図３】
2006252608.tif 000005
【図４】
2006252608.tif 000006
【図５】
2006252608.tif 000007
【図６】
2006252608.tif 000008
【図７】
2006252608.tif 000009